(57)【要約】【課題】視聴者が数ページの画像データを一度に閲覧することができ、対象とするページの画像データが前後にシフトしても、記入者により入力された情報を反映させること。【解決手段】表示システムは、複数ページの画像データのうちの、表示装置の台数分の画像データ（１１０−１〜１１０−４）を、それぞれ、並べて配置された複数台の表示装置（１０−１〜１０−４）に表示し、複数台の表示装置（１０−１〜１０−４）のうちのマスター表示装置（１０−３）に表示された画像データ（１１０−３）に対して、記入者により入力された情報を表す入力情報（１１３）を反映させる。また、表示システムは、複数ページの画像データのうちの、台数分の画像データ（１１０−１〜１１０−４）をページ操作部（３５、３６）の操作に応じてシフトさせた画像データをそれぞれ複数台の表示装置（１０−１〜１０−４）に表示する。【選択図】図９
2020057021.tif 000002
【特許請求の範囲】
【請求項１】
複数台の表示装置と、制御装置とを含むグループが複数構成された表示システムにおいて、
前記複数のグループは、指定されたグループであるマスターグループと、前記マスターグループ以外のスレーブグループとを含み、
それぞれの前記グループに含まれる前記制御装置は、
複数ページの画像データのうちの、連続したページの画像データを当該グループに含まれる前記複数台の表示装置にそれぞれ表示する制御を行う表示制御部を備え、
前記マスターグループに含まれる制御装置は、
ページ操作を受け付けると、前記連続したページの画像データを前記スレーブグループの前記制御装置に送信し、
前記スレーブグループに含まれる制御装置は、
前記マスターグループの前記制御装置から受信した前記連続したページの画像データのうちの、前記スレーブグループの前記複数台の表示装置に対応する表示装置の台数分の画像データをそれぞれ前記スレーブグループの前記複数台の表示装置に表示し、
それぞれの前記スレーブグループに含まれる連続したページの画像データを表示する表示装置の台数は、前記マスターグループに含まれる連続したページの画像データを表示する表示装置の台数よりも少ない
ことを特徴とする表示システム。
【請求項２】
前記マスターグループに含まれる制御装置は、前記ページ操作を受け付けると、前記連続したページの画像データを元の表示装置とは異なる前記ページ操作の方向の表示装置にシフトして表示する制御を行い、
前記マスターグループに含まれる制御装置が前記スレーブグループに送信する画像データは、前記マスターグループに含まれる表示装置にシフトして表示された画像データであることを特徴とする請求項１に記載の表示システム。
【請求項３】
前記マスターグループの前記制御装置は、前記連続したページのうち１ページ目の画像データを前記スレーブグループの前記制御装置に送信する場合は、１ページ目の画像データの送信であることを表す開始ページ送信情報を併せて送信し、
前記スレーブグループの前記制御装置は、前記開始ページ送信情報を受信した場合、前記スレーブグループの前記複数台の表示装置のうち、所定の表示装置に前記１ページ目の画像データを表示することを特徴とする請求項１又は２に記載の表示システム。
【請求項４】
表示装置に対する記入者の入力を検知する入力検知装置を更に備え、
前記複数台の表示装置は、前記画像データを表示するための表示面である画像データ表示領域を備え、
前記マスターグループの前記複数台の表示装置のうちのマスター表示装置は、前記画像データ表示領域に表示された前記画像データに対するページ操作を受け付けるページ操作部を表示するための表示面であるページ操作表示領域を更に備え、前記マスター表示装置以外の前記表示装置は前記ページ操作表示領域を備えないことを特徴とする請求項１から３の何れか一項に記載の表示システム。
【請求項５】
前記複数台の表示装置をＮ台の表示装置とした場合、前記マスター表示装置は、１台、または、Ｎ台よりも少ない複数台指定されることを特徴とする請求項４に記載の表示システム。
【請求項６】
前記複数のグループは、各々異なる領域に設けられ、
前記マスターグループの前記制御装置は、ネットワークを介して前記スレーブグループの前記制御装置と接続されていることを特徴とする請求項１から５の何れか一項に記載の表示システム。
【請求項７】
複数台の表示装置を含むグループが複数構成され、
前記複数のグループは、指定されたグループであるマスターグループと、前記マスターグループ以外のスレーブグループとを含み、
複数ページの画像データのうちの、連続したページの画像データをそれぞれの前記グループに含まれる前記複数台の表示装置にそれぞれ表示する表示システムにおける前記表示装置の表示方法であって、
前記マスターグループにおいてページ操作を受け付けると、前記連続したページの画像データを前記スレーブグループに送信するステップと、
前記スレーブグループにおいて前記マスターグループから受信した前記連続したページの画像データのうちの、前記スレーブグループの前記複数台の表示装置に対応する表示装置の台数分の画像データをそれぞれ前記スレーブグループの前記複数台の表示装置に表示するステップと、
を含み、
それぞれの前記スレーブグループに含まれる連続したページの画像データを表示する表示装置の台数は、前記マスターグループに含まれる連続したページの画像データを表示する表示装置の台数よりも少ない
ことを特徴とする表示方法。
【発明の詳細な説明】
【技術分野】
【０００１】
本発明は、複数台の表示装置に画像データを表示する表示システム、及び、表示方法に関する。
【背景技術】
【０００２】
記入者（例えば、先生）が、教材として複数ページの画像データを用いて、視聴者（例えば、生徒）に対して授業を行なう場合、記入者は、複数ページの画像データの各々を１台の表示装置に表示させる。例えば、記入者は、１ページ目の画像データを１台の表示装置に表示させて、１ページ目の画像データに対する説明を行なう。その後に、記入者は、２ページ目の画像データを１台の表示装置に表示させて、２ページ目の画像データに対する説明を行なう。これにより、視聴者は、１ページ目の画像データを見ながら、１ページ目の画像データに対する説明を聴くことができ、２ページ目の画像データを見ながら、２ページ目の画像データに対する説明を聴くことができる。
【０００３】
しかしながら、１台の表示装置に表示される画像データは１ページずつ切り替えられるため、視聴者は、複数ページの画像データを一度に見ることができない。すなわち、記入者は、２ページ目の画像データを１台の表示装置に表示させるときに、１台の表示装置に表示される画像データを、１ページ目の画像データから、２ページ目の画像データに切り替えるため、視聴者は、１ページ目の画像データと２ページ目の画像データとを一度に見ることができない。
【０００４】
また、１台の表示装置がタッチパネルディスプレイとして使用されている場合、記入者は、１ページ目の画像データを１台の表示装置に表示させて、１ページ目の画像データに対する説明を行なうと共に、１台の表示装置に対して、１ページ目の画像データに対する説明文を表す情報（入力情報）を入力する。これにより、視聴者は、１ページ目の画像データとその説明文とを見ながら、１ページ目の画像データに対する説明を聴くことができる。このように、視聴者が数ページの画像データを一度に閲覧できることが望まれる。
【０００５】
しかしながら、１台の表示装置に表示される画像データは１ページずつ切り替えられるため、１台の表示装置に表示される画像データに対して、記入者により入力された入力情報が反映されない場合がある。すなわち、１ページ目の画像データに対する説明文と、２ページ目の画像データとが無関係である場合、２ページ目の画像データに対して、１ページ目の画像データに対する説明文が反映されない。この場合、記入者は、１台の表示装置に表示される画像データを、１ページ目の画像データから、２ページ目の画像データに切り替えるときに、１ページ目の画像データに対する説明文を１台の表示装置から消去しなければならない。このように、対象とする画像データに対して、記入者により入力された情報（入力情報）が反映されることが望まれる。
【０００６】
複数台の表示装置に画像データを表示する技術について、特許文献１、２に開示されている。
【０００７】
特許文献１に記載された技術では、画像データを１台目の表示装置に表示するときに、画面キャプチャを用いて、１台目の表示装置に表示された画像データと同じ画像データを２台目の表示装置に表示する。
【０００８】
特許文献２に記載された技術では、１台目の表示装置に表示された画像データに対して、記入者により情報（注釈）が入力されたとき、画面キャプチャを用いて、１台目の表示装置に表示された画像データと同じ画像データ（注釈が反映された画像データ）を２台目の表示装置に表示する。
【先行技術文献】
【特許文献】
【０００９】
【特許文献１】特開２００３−６９７６７号公報
【特許文献２】特開２０１４−２２８６１号公報
【発明の概要】
【発明が解決しようとする課題】
【００１０】
しかしながら、特許文献１、２に記載された技術では、画面キャプチャを用いて、１台目の表示装置に表示された画像データと同じ画像データを２台目の表示装置に表示するものであるため、視聴者が数ページの画像データを一度に閲覧することはできない。
【００１１】
本発明は、上記従来の問題点に鑑みてなされたものであって、視聴者が数ページの画像データを一度に閲覧することができ、対象とするページの画像データが前後にシフトしても、記入者により入力された情報を反映させることができる表示システムを提供することを目的とする。
【課題を解決するための手段】
【００１２】
上述した課題を解決するために、本発明の表示システムは、
複数台の表示装置と、制御装置とを含むグループが複数構成された表示システムにおいて、
前記複数のグループは、指定されたグループであるマスターグループと、前記マスターグループ以外のスレーブグループとを含み、
それぞれの前記グループに含まれる前記制御装置は、
複数ページの画像データのうちの、連続したページの画像データを当該グループに含まれる前記複数台の表示装置にそれぞれ表示する制御を行う表示制御部を備え、
前記マスターグループに含まれる制御装置は、
ページ操作を受け付けると、前記連続したページの画像データを前記スレーブグループの前記制御装置に送信し、
前記スレーブグループに含まれる制御装置は、
前記マスターグループの前記制御装置から受信した前記連続したページの画像データのうちの、前記スレーブグループの前記複数台の表示装置に対応する表示装置の台数分の画像データをそれぞれ前記スレーブグループの前記複数台の表示装置に表示し、
それぞれの前記スレーブグループに含まれる連続したページの画像データを表示する表示装置の台数は、前記マスターグループに含まれる連続したページの画像データを表示する表示装置の台数よりも少ない
ことを特徴とする。
【００１３】
上述した課題を解決するために、本発明の表示方法は、
複数台の表示装置を含むグループが複数構成され、
前記複数のグループは、指定されたグループであるマスターグループと、前記マスターグループ以外のスレーブグループとを含み、
複数ページの画像データのうちの、連続したページの画像データをそれぞれの前記グループに含まれる前記複数台の表示装置にそれぞれ表示する表示システムにおける前記表示装置の表示方法であって、
前記マスターグループにおいてページ操作を受け付けると、前記連続したページの画像データを前記スレーブグループに送信するステップと、
前記スレーブグループにおいて前記マスターグループから受信した前記連続したページの画像データのうちの、前記スレーブグループの前記複数台の表示装置に対応する表示装置の台数分の画像データをそれぞれ前記スレーブグループの前記複数台の表示装置に表示するステップと、
を含み、
それぞれの前記スレーブグループに含まれる連続したページの画像データを表示する表示装置の台数は、前記マスターグループに含まれる連続したページの画像データを表示する表示装置の台数よりも少ない
ことを特徴とする。
【発明の効果】
【００１４】
本発明によれば、視聴者が数ページの画像データを一度に閲覧することができ、対象とするページの画像データが前後にシフトしても、記入者により入力された情報を反映することができる。
【図面の簡単な説明】
【００１５】
【図１】本発明の第１実施形態に係る表示システムの構成を示すブロック図である。
【図２】本発明の第１実施形態に係る表示システムの構成において、表示装置の配置を示す図である。
【図３】本発明の第１実施形態に係る表示システムの動作（表示処理）を示すフローチャートである。
【図４】本発明の第１実施形態に係る表示システムの動作において、表示装置に表示される画像データを示す図である。
【図５】本発明の第１実施形態に係る表示システムの動作において、表示装置に表示される画像データを示す図である。
【図６】本発明の第１実施形態に係る表示システムの動作において、表示装置に表示される画像データを示す図である。
【図７】本発明の第１実施形態に係る表示システムの動作において、表示装置に表示される画像データを示す図である。
【図８】本発明の第１実施形態に係る表示システムの動作において、表示装置に表示される画像データを示す図である。
【図９】本発明の第１実施形態に係る表示システムの動作において、表示装置に表示される画像データを示す図である。
【図１０】本発明の第１実施形態に係る表示システムの動作において、表示装置に表示される画像データを示す図である。
【図１１】本発明の第２実施形態に係る表示システムの他の構成を示すブロック図である。
【図１２】本発明の第２実施形態に係る表示システムの他の構成において、表示装置の配置を示す図である。
【図１３】本発明の第３実施形態に係る表示システムの構成において、表示装置の配置を示す図である。
【図１４】本発明の第３実施形態に係る表示システムの動作において、表示装置に表示される画像データを示す図である。
【図１５】本発明の第４実施形態に係る表示システムの構成において、表示装置の配置を示す図である。
【図１６】本発明の第５実施形態に係る表示システムの構成を示すブロック図である。
【図１７】本発明の第５実施形態に係る表示システムの構成において、表示装置の配置を示す図である。
【図１８】本発明の第５実施形態に係る表示システムの動作において、各グループの表示装置に表示される画像データを示す図である。
【図１９】本発明の第５実施形態に係る表示システムの動作において、各グループの表示装置に表示される画像データを示す図である。
【図２０】本発明の第５実施形態に係る表示システムの動作において、各グループの表示装置に表示される画像データを示す図である。
【図２１】本発明の第６実施形態に係る表示システムの構成を示すブロック図である。
【発明を実施するための形態】
【００１６】
以下、図面を参照しながら本発明の実施形態について説明する。
【００１７】
［第１実施形態］
図１は、本発明の第１実施形態に係る表示システムの構成を示すブロック図である。図２は、本発明の第１実施形態に係る表示システムの構成において、表示装置の配置を示す図である。
【００１８】
図１に示されるように、本発明の第１実施形態に係る表示システムは、複数台の表示装置１０と、入力検知装置２０と、制御装置３０と、入力指示装置４０と、を具備している。
【００１９】
複数台の表示装置１０は、図示しないＬＣＤ（Ｌｉｑｕｉｄ  Ｃｒｙｓｔａｌ  Ｄｉｓｐｌａｙ）である。図２に示されるように、複数台の表示装置１０は、左右方向に並べて配置されている。図１、２に示されるように、本実施形態では、複数台の表示装置１０は、例えば、１〜４台目の表示装置１０−１〜１０−４であるものとする。１〜４台目の表示装置１０−１〜１０−４の各々は、画像データを表示するための表示面である画像データ表示領域１０Ａを備えている。
【００２０】
また、本実施形態では、例えば、１〜４台目の表示装置１０−１〜１０−４のうちの３台目の表示装置１０−３は、マスター表示装置とし、それ以外の表示装置１０−１、１０−２、１０−４をスレーブ表示装置としている。マスター表示装置１０−３は、例えば、ユーザ（記入者）により指定されている。または、予め指定されている。マスター表示装置１０−３は、更に、後述のページ操作部を表示するための表示面であるページ操作表示領域１０Ｂを備えている。
【００２１】
入力検知装置２０は、タッチパネルであり、マスター表示装置１０−３に設けられている。すなわち、マスター表示装置１０−３は、自身のＬＣＤと入力検知装置２０（タッチパネル）とにより、タッチパネルディスプレイとして使用される。この入力検知装置２０は、記入者がマスター表示装置１０−３の画像データ表示領域１０Ａに対して指先またはペン先により文字等を入力したとき、マスター表示装置１０−３の画像データ表示領域１０Ａに対する記入者の入力を検知する。また、入力検知装置２０は、記入者がマスター表示装置１０−３のページ操作表示領域１０Ｂに対して後述のページ操作部を操作したとき、後述のページ操作部の操作として、マスター表示装置１０−３のページ操作表示領域１０Ｂに対する記入者の入力を検知する。
【００２２】
入力検知装置２０としては、静電容量センサや、光センサが例示される。静電容量センサは、例えば、マスター表示装置１０−３のＬＣＤにマトリクス状に配置され、そのＬＣＤに所定距離以下に近接した指示媒体（ペン先または記入者の指先）を検出する。光センサは、マスター表示装置１０−３のＬＣＤの各画素に内蔵されることによりマトリクス状に配置され、そのＬＣＤに接触する指示媒体（ペン先または記入者の指先）を検出する。
【００２３】
入力指示装置４０としては、キーボードや、マウス等のポインティングデバイスが例示される。
【００２４】
図１に示されるように、制御装置３０は、１〜４台目の表示装置１０−１〜１０−４（スレーブ表示装置１０−１、スレーブ表示装置１０−２、マスター表示装置１０−３、スレーブ表示装置１０−４）と、入力検知装置２０と入力指示装置４０とに接続されている。この制御装置３０は、記憶部３１と、制御部３２とを具備している。制御部３１は、ＣＰＵ（Central Processing Unit）であり、入力検知装置２０、１〜４台目の表示装置１０−１〜１０−４を制御する。記憶部３２にはコンピュータプログラムが格納され、制御部３１は、そのコンピュータプログラムを実行する。また、記入者が入力指示装置４０を操作した場合、制御部３１は、入力指示装置４０の操作に応じてコンピュータプログラムを実行する。
【００２５】
図１に示されるように、制御部３１は、画像データ表示制御部３３と、入力反映表示制御部３４と、ページ操作部とを備えている。
【００２６】
画像データ表示制御部３３は、複数ページの画像データのうちの、１〜４台目の表示装置１０−１〜１０−４（スレーブ表示装置１０−１、スレーブ表示装置１０−２、マスター表示装置１０−３、スレーブ表示装置１０−４）に対応する表示装置１０の台数分の画像データをそれぞれ１〜４台目の表示装置１０−１〜１０−４に表示する。
【００２７】
入力反映表示制御部３４は、表示装置１０の台数分の画像データのうちの、マスター表示装置１０−３に表示された画像データに対して、記入者により入力された情報を表す入力情報を反映させる。
【００２８】
図１、２に示されるように、ページ操作部は、ページ送り用操作部３５と、ページ戻し用操作部３６とを含んでいる。ページ送り用操作部３５は、１〜４台目の表示装置１０−１〜１０−４（スレーブ表示装置１０−１、スレーブ表示装置１０−２、マスター表示装置１０−３、スレーブ表示装置１０−４）に表示された表示装置１０の台数分の画像データに対して、ページ送りを行なうための操作部である。ページ戻し用操作部３６は、１〜４台目の表示装置１０−１〜１０−４（スレーブ表示装置１０−１、スレーブ表示装置１０−２、マスター表示装置１０−３、スレーブ表示装置１０−４）に表示された表示装置１０の台数分の画像データに対して、ページ戻しを行なうための操作部である。図２に示されるように、ページ操作部（ページ送り用操作部３５、ページ戻し用操作部３６）は、マスター表示装置１０−３のページ操作表示領域１０Ｂに表示されている。
【００２９】
ページ操作部（ページ送り用操作部３５、ページ戻し用操作部３６）が操作されたとき、画像データ表示制御部３３は、複数ページの画像データのうちの、表示装置１０の台数分の画像データをページ操作部（ページ送り用操作部３５、ページ戻し用操作部３６）の操作に応じてシフトさせた画像データをそれぞれ１〜４台目の表示装置１０−１〜１０−４（スレーブ表示装置１０−１、スレーブ表示装置１０−２、マスター表示装置１０−３、スレーブ表示装置１０−４）に表示する。
【００３０】
また、入力装置４０がキーボードである場合、ページ送り用操作部３５に対応するページ送り用シフトキー（図示しない）と、ページ戻し用操作部３６に対応するページ戻し用シフトキー（図示しない）とを備えている。
【００３１】
ページ操作部の代わりに、入力装置４０のシフトキー（ページ送り用シフトキー、ページ戻し用シフトキー）が操作されたときでも、画像データ表示制御部３３は、複数ページの画像データのうちの、表示装置１０の台数分の画像データを入力装置４０のシフトキー（ページ送り用シフトキー、ページ戻し用シフトキー）の操作に応じてシフトさせた画像データをそれぞれ１〜４台目の表示装置１０−１〜１０−４（スレーブ表示装置１０−１、スレーブ表示装置１０−２、マスター表示装置１０−３、スレーブ表示装置１０−４）に表示する。
【００３２】
次に、本発明の第１実施形態に係る表示システムの動作（表示処理）について、図３〜１０を用いて説明する。図３は、本発明の第１実施形態に係る表示システムの動作（表示処理）を示すフローチャートである。図４〜１０は、本発明の第１実施形態に係る表示システムの動作において、表示装置に表示される画像データを示す図である。
【００３３】
例えば、記入者（先生）は、視聴者（生徒）に対して授業で使うための教材として、複数ページの画像データを用いる。複数ページの画像データは、制御装置３０の記憶部３１に格納されている。または、複数ページの画像データは、制御装置３０に入力され、制御装置３０の制御部３２は、その複数ページの画像データを記憶部３１に格納する。
【００３４】
図４〜９に示されるように、複数ページの画像データのうちの、１ページ目の画像データ１１０−１は、横書きにより、アルファベット表記による文書「ＡＢＣＤ」を表している。図４〜１０に示されるように、複数ページの画像データのうちの、２ページ目の画像データ１１０−２は、横書きにより、アルファベット表記による文書「ＥＦＧ」を表している。図６〜１０に示されるように、複数ページの画像データのうちの、３ページ目の画像データ１１０−３は、横書きにより、アルファベット表記による文書「ＨＩＪＫ」を表している。図８〜１０に示されるように、複数ページの画像データのうちの、４ページ目の画像データ１１０−４は、横書きにより、アルファベット表記による文書「ＬＭＮＯＰ」を表している。図１０に示されるように、複数ページの画像データのうちの、５ページ目の画像データ１１０−５は、横書きにより、アルファベット表記による文書「ＱＲＳＴＵＶ」を表している。
【００３５】
まず、記入者は、入力指示装置４０を操作して、制御装置３０の記憶部３１に格納された複数ページの画像データのうちの１〜２ページ目の画像データ１１０−１「ＡＢＣＤ」、１１０−２「ＥＦＧ」（図４を参照）を表示するための表示指示を行なう。このとき、図４に示されるように、制御装置３０の制御部３２の画像データ表示制御部３３は、複数ページの画像データのうちの、１ページ目の画像データ１１０−１「ＡＢＣＤ」、２ページ目の画像データ１１０−２「ＥＦＧ」を、それぞれ、マスター表示装置１０−３、スレーブ表示装置１０−４に表示する（図３のステップＳ１；画像データ表示処理）。
【００３６】
記入者が、マスター表示装置１０−３の画像データ表示領域１０Ａに対して、一定時間以上、入力しない場合（図３のステップＳ２−Ｎｏ）、本発明の第１実施形態に係る表示システムの動作（表示処理）は、後述のステップ７に移行する。
【００３７】
一方、記入者は、マスター表示装置１０−３の画像データ表示領域１０Ａに対して、一定時間以内に、指先またはペン先により文字等を入力する（図３のステップＳ２−Ｙｅｓ）。このとき、入力検知装置２０は、マスター表示装置１０−３の画像データ表示領域１０Ａに対する記入者の入力を検知し、入力情報１１１（図５を参照）を生成する（図３のステップＳ３；記入検知処理）。入力情報１１１は、記入者により入力された情報として、マスター表示装置１０−３に表示された画像データ（この場合、１ページ目の画像データ１１０−１「ＡＢＣＤ」）に対する説明文「○○○」を表している。
【００３８】
図５に示されるように、入力反映表示制御部３４は、１〜２ページ目の画像データ１１０−１「ＡＢＣＤ」、１１０−２「ＥＦＧ」のうちの、マスター表示装置１０−３に表示された画像データ（この場合、１ページ目の画像データ１１０−１「ＡＢＣＤ」）に対して、入力情報１１１「○○○」を反映させる（図３のステップＳ４；入力反映表示処理）。
【００３９】
記入者は、マスター表示装置１０−３のページ操作表示領域１０Ｂに対して、例えば、ページ送り用操作部３５を１回だけ操作する（押下する）。このとき、入力検知装置２０は、ページ送り用操作部３５の操作として、マスター表示装置１０−３のページ操作表示領域１０Ｂに対する記入者の入力を検知し、シフト指示を制御装置３０の制御部３２に送信する（図３のステップＳ５；操作検知処理）。このシフト指示は、１回分のページ送りを表している。
【００４０】
図６に示されるように、制御部３２の画像データ表示制御部３３は、ページ送り用操作部３５からのシフト指示に応じて、複数ページの画像データのうちの、１〜２ページ目の画像データ１１０−１「ＡＢＣＤ」、１１０−２「ＥＦＧ」を１ページ分だけページ送りさせた画像データを、それぞれ、２〜４台目の表示装置１０−２〜１０−４に表示する。すなわち、画像データ表示制御部３３は、シフト指示に応じて、複数ページの画像データのうちの、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」を、それぞれ、スレーブ表示装置１０−２、マスター表示装置１０−３、スレーブ表示装置１０−４に表示する（図３のステップＳ６；ページ操作処理）。
【００４１】
上述の例では、まだ全ページの表示が終了していないので、画像データの表示を終了しないで（ステップＳ７−Ｎｏ）、上述のステップＳ２が行なわれる。
【００４２】
次に、記入者は、マスター表示装置１０−３の画像データ表示領域１０Ａに対して、一定時間以内に、指先またはペン先により文字等を入力する（図３のステップＳ２−Ｙｅｓ）。このとき、入力検知装置２０は、マスター表示装置１０−３の画像データ表示領域１０Ａに対する記入者の入力を検知し、入力情報１１２（図７を参照）を生成する（図３のステップＳ３；記入検知処理）。入力情報１１２は、記入者により入力された情報として、マスター表示装置１０−３に表示された画像データ（この場合、２ページ目の画像データ１１０−２「ＥＦＧ」）に対する説明文「△△△」を表している。
【００４３】
図７に示されるように、入力反映表示制御部３４は、１〜３ページ目の画像データ１１０−１「ＡＢＣＤ」、１１０−２「ＥＦＧ」、１１０−３「ＨＩＪＫ」のうちの、マスター表示装置１０−３に表示された画像データ（この場合、２ページ目の画像データ１１０−２「ＥＦＧ」）に対して、入力情報１１２「△△△」を反映させる（図３のステップＳ４；入力反映表示処理）。
【００４４】
記入者は、マスター表示装置１０−３のページ操作表示領域１０Ｂに対して、例えば、ページ送り用操作部３５を１回だけ操作する（押下する）。このとき、入力検知装置２０は、ページ送り用操作部３５の操作として、マスター表示装置１０−３のページ操作表示領域１０Ｂに対する記入者の入力を検知し、シフト指示を制御装置３０の制御部３２に送信する（図３のステップＳ５；操作検知処理）。
【００４５】
図８に示されるように、制御部３２の画像データ表示制御部３３は、ページ送り用操作部３５からのシフト指示に応じて、複数ページの画像データのうちの、１〜３ページ目の画像データ１１０−１「ＡＢＣＤ」、１１０−２「ＥＦＧ」、１１０−３「ＨＩＪＫ」を１ページ分だけページ送りさせた画像データを、それぞれ、１〜４台目の表示装置１０−１〜１０−４に表示する。すなわち、画像データ表示制御部３３は、シフト指示に応じて、複数ページの画像データのうちの、入力情報１１１「○○○」が反映された１ページ目の画像データ１１０−１「ＡＢＣＤ」、入力情報１１２「△△△」が反映された２ページ目の画像データ１１０−２「ＥＦＧ」、３ページ目の画像データ１１０−３「ＨＩＪＫ」、４ページ目の画像データ１１０−４「ＬＭＮＯＰ」を、それぞれ、スレーブ表示装置１０−１、スレーブ表示装置１０−２、マスター表示装置１０−３、スレーブ表示装置１０−４に表示する（図３のステップＳ６；ページ操作処理）。
【００４６】
上述の例では、まだ全ページの表示が終了していないので、画像データの表示を終了しないで（ステップＳ７−Ｎｏ）、上述のステップＳ２が行なわれる。
【００４７】
次に、記入者は、マスター表示装置１０−３の画像データ表示領域１０Ａに対して、一定時間以内に、指先またはペン先により文字等を入力する（図３のステップＳ２−Ｙｅｓ）。このとき、入力検知装置２０は、マスター表示装置１０−３の画像データ表示領域１０Ａに対する記入者の入力を検知し、入力情報１１３（図９を参照）を生成する（図３のステップＳ３；記入検知処理）。入力情報１１３は、記入者により入力された情報として、マスター表示装置１０−３に表示された画像データ（この場合、３ページ目の画像データ１１０−３「ＨＩＪＫ」）に対する説明文「○○△」を表している。
【００４８】
図９に示されるように、入力反映表示制御部３４は、１〜４ページ目の画像データ１１０−１「ＡＢＣＤ」、１１０−２「ＥＦＧ」、１１０−３「ＨＩＪＫ」、１１０−４「ＬＭＮＯＰ」のうちの、マスター表示装置１０−３に表示された画像データ（この場合、３ページ目の画像データ１１０−３「ＨＩＪＫ」）に対して、入力情報１１３「○○△」を反映させる（図３のステップＳ４；入力反映表示処理）。
【００４９】
記入者は、マスター表示装置１０−３のページ操作表示領域１０Ｂに対して、例えば、ページ送り用操作部３５を１回だけ操作する（押下する）。このとき、入力検知装置２０は、ページ送り用操作部３５の操作として、マスター表示装置１０−３のページ操作表示領域１０Ｂに対する記入者の入力を検知し、シフト指示を制御装置３０の制御部３２に送信する（図３のステップＳ５；操作検知処理）。
【００５０】
図１０に示されるように、制御部３２の画像データ表示制御部３３は、ページ送り用操作部３５からのシフト指示に応じて、複数ページの画像データのうちの、１〜４ページ目の画像データ１１０−１「ＡＢＣＤ」、１１０−２「ＥＦＧ」、１１０−３「ＨＩＪＫ」、１１０−４「ＬＭＮＯＰ」を１ページ分だけページ送りさせた画像データを、それぞれ、１〜４台目の表示装置１０−１〜１０−４に表示する。すなわち、画像データ表示制御部３３は、シフト指示に応じて、複数ページの画像データのうちの、入力情報１１２「△△△」が反映された２ページ目の画像データ１１０−２「ＥＦＧ」、入力情報１１３「○○△」が反映された３ページ目の画像データ１１０−３「ＨＩＪＫ」、４ページ目の画像データ１１０−４「ＬＭＮＯＰ」、５ページ目の画像データ１１０−５「ＱＲＳＴＵＶ」を、それぞれ、スレーブ表示装置１０−１、スレーブ表示装置１０−２、マスター表示装置１０−３、スレーブ表示装置１０−４に表示する（図３のステップＳ６；ページ操作処理）。
【００５１】
全ページの画像データの表示が終了した場合、あるいは、画像データの表示を終了する場合は（ステップＳ７−Ｙｅｓ）、本発明の第１実施形態に係る表示システムの動作（表示処理）を終了する。また、全ページの表示が終了していない場合、あるいは、画像データの表示を終了しない場合は（ステップＳ７−Ｎｏ）、上述のステップＳ２が行なわれる。
【００５２】
以上の説明により、本発明の第１実施形態に係る表示システムでは、並べて配置された複数台の表示装置１０（スレーブ表示装置１０−１、スレーブ表示装置１０−２、マスター表示装置１０−３、スレーブ表示装置１０−４）と、複数台の表示装置１０（スレーブ表示装置１０−１、スレーブ表示装置１０−２、マスター表示装置１０−３、スレーブ表示装置１０−４）のうちの指定された表示装置１０（３台目の表示装置１０−３）であるマスター表示装置に対する記入者の入力を検知する入力検知装置２０と、複数台の表示装置１０（スレーブ表示装置１０−１、スレーブ表示装置１０−２、マスター表示装置１０−３、スレーブ表示装置１０−４）と入力検知装置２０とに接続された制御装置３０と、を具備している。この制御装置３０は、複数ページの画像データのうちの、複数台の表示装置１０（スレーブ表示装置１０−１、スレーブ表示装置１０−２、マスター表示装置１０−３、スレーブ表示装置１０−４）に対応する表示装置１０の台数分の画像データ（例えば、１〜４ページ目の画像データ１１０−１「ＡＢＣＤ」、１１０−２「ＥＦＧ」、１１０−３「ＨＩＪＫ」、１１０−４「ＬＭＮＯＰ」）をそれぞれ複数台の表示装置１０（スレーブ表示装置１０−１、スレーブ表示装置１０−２、マスター表示装置１０−３、スレーブ表示装置１０−４）に表示する画像データ表示制御部３３と、表示装置１０の台数分の画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）のうちの、マスター表示装置１０−３に表示された画像データ１１０−３「ＨＩＪＫ」に対して、記入者により入力された情報を表す入力情報１１３「○○△」を反映させる入力反映表示制御部３４と、複数台の表示装置１０（スレーブ表示装置１０−１、スレーブ表示装置１０−２、マスター表示装置１０−３、スレーブ表示装置１０−４）に表示された表示装置１０の台数分の画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）に対して、ページ送り、または、ページ戻しを行なうためのページ操作部（ページ送り用操作部３５、ページ戻し用操作部３６）と、を備えている。そこで、ページ操作部（ページ送り用操作部３５、ページ戻し用操作部３６）が操作されたとき、画像データ表示制御部３３は、複数ページの画像データのうちの、表示装置１０の台数分の画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）をページ操作部（ページ送り用操作部３５、ページ戻し用操作部３６）の操作に応じてシフトさせた画像データ（ページ送りの場合、２〜５ページ目の画像データ１１０−２「ＥＦＧ」、１１０−３「ＨＩＪＫ」、１１０−４「ＬＭＮＯＰ」、１１０−５「ＱＲＳＴＵＶ」）をそれぞれ複数台の表示装置１０（スレーブ表示装置１０−１、スレーブ表示装置１０−２、マスター表示装置１０−３、スレーブ表示装置１０−４）に表示する。
【００５３】
このように、本発明の第１実施形態に係る表示システムによれば、複数ページの画像データのうちの、表示装置１０の台数分の画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）がそれぞれ複数台の表示装置１０（スレーブ表示装置１０−１、スレーブ表示装置１０−２、マスター表示装置１０−３、スレーブ表示装置１０−４）に表示されるため、視聴者は、１〜４ページ目の画像データ１１０−１「ＡＢＣＤ」、１１０−２「ＥＦＧ」、１１０−３「ＨＩＪＫ」、１１０−４「ＬＭＮＯＰ」、すなわち、数ページの画像データを一度に閲覧することができる。
【００５４】
また、本発明の第１実施形態に係る表示システムによれば、ページ操作部（ページ送り用操作部３５、ページ戻し用操作部３６）の操作に応じてシフトされた画像データ（ページ送りの場合、２〜５ページ目の画像データ１１０−２「ＥＦＧ」、１１０−３「ＨＩＪＫ」、１１０−４「ＬＭＮＯＰ」、１１０−５「ＱＲＳＴＵＶ」）がそれぞれ複数台の表示装置１０（スレーブ表示装置１０−１、スレーブ表示装置１０−２、マスター表示装置１０−３、スレーブ表示装置１０−４）に表示されるため、視聴者は、２〜５ページ目の画像データ１１０−２「ＥＦＧ」、１１０−３「ＨＩＪＫ」、１１０−４「ＬＭＮＯＰ」、１１０−５「ＱＲＳＴＵＶ」、すなわち、数ページの画像データを一度に閲覧することができる。
【００５５】
また、本発明の第１実施形態に係る表示システムによれば、記入者がマスター表示装置１０−３に表示された画像データ１１０−３「ＨＩＪＫ」に対して入力情報１１３「○○△」を反映させてから、画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）をページ操作部（ページ送り用操作部３５、ページ戻し用操作部３６）の操作によりシフトさせても、入力情報１１３「○○△」が反映された画像データ１１０−３「ＨＩＪＫ」が表示装置１０（ページ送りの場合はスレーブ表示装置１０−２、ページ戻しの場合はスレーブ表示装置１０−４）に表示されるため、視聴者は、対象とするページの画像データが前後（この場合、左右方向）にシフトしても、記入者により入力された情報（入力情報１１３「○○△」）を閲覧することができる。
【００５６】
また、本発明の第１実施形態に係る表示システムでは、表示装置１０の台数分の画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）がページ送りされた場合、複数ページの画像データのうちの、マスター表示装置１０−３に表示された画像データ（この場合、４ページ目の画像データ１１０−４「ＬＭＮＯＰ」）よりも前のページの画像データ（この場合、２〜３ページ目の画像データ１１０−２「ＥＦＧ」、１１０−３「ＨＩＪＫ」）に対して入力情報（この場合、入力情報１１２「△△△」、１１３「○○△」）が反映されている。
【００５７】
このように、本発明の第１実施形態に係る表示システムによれば、記入者は、マスター表示装置１０−３に表示された画像データ１１０−３「ＨＩＪＫ」に対して入力情報１１３「○○△」を反映させることができる上に、画像データ（１〜４ページ目の画像データ１１０−１「ＡＢＣＤ」、１１０−２「ＥＦＧ」、１１０−３「ＨＩＪＫ」、１１０−４「ＬＭＮＯＰ」）をページ操作部（ページ送り用操作部３５、ページ戻し用操作部３６）の操作によりシフトさせても、マスター表示装置１０−３に表示された画像データ（この場合、４ページ目の画像データ１１０−４「ＬＭＮＯＰ」）よりも前のページの画像データ（この場合、２〜３ページ目の画像データ１１０−２「ＥＦＧ」、１１０−３「ＨＩＪＫ」）に対して入力情報１１２「△△△」、１１３「○○△」を反映させることができる。
【００５８】
特許文献１、２では、入力情報が反映された画像データと同じ画像データを、画面キャプチャを用いて別画面に表示しているが、本発明の第１実施形態に係る表示システムによれば、画面キャプチャを用いずに、入力情報１１１「○○○」、１１２「△△△」、１１３「○○△」がそれぞれ反映された画像データ１１０−１「ＡＢＣＤ」、１１０−２「ＥＦＧ」、１１０−３「ＨＩＪＫ」をシフトする。このため、視聴者は、対象とするページの画像データが前後（この場合、左右方向）にシフトしても、記入者により入力された情報（入力情報１１１「○○○」、１１２「△△△」、１１３「○○△」）を閲覧することができる。
【００５９】
また、本発明の第１実施形態に係る表示システムでは、複数台の表示装置１０（スレーブ表示装置１０−１、スレーブ表示装置１０−２、マスター表示装置１０−３、スレーブ表示装置１０−４）は、画像データを表示するための画像データ表示領域１０Ａを備えている。この場合、入力検知装置２０は、入力情報１１３として、マスター表示装置１０−３の画像データ表示領域１０Ａに対する記入者の入力を検知する。そこで、記入者が視聴者に対して説明しながら操作性を向上させるために、複数台の表示装置１０のうちのマスター表示装置１０−３は、ページ操作部（ページ送り用操作部３５、ページ戻し用操作部３６）を表示するための表示面であるページ操作表示領域１０Ｂを更に備えていることが好ましい。この場合、入力検知装置２０は、ページ操作部（ページ送り用操作部３５、ページ戻し用操作部３６）の操作として、マスター表示装置１０−３のページ操作表示領域１０Ｂに対する記入者の入力を検知する。
【００６０】
このように、本発明の第１実施形態に係る表示システムによれば、記入者は、マスター表示装置１０−３のページ操作表示領域１０Ｂに表示されたページ操作部（ページ送り用操作部３５、ページ戻し用操作部３６）に対して操作を行なうことにより、複数台の表示装置１０（スレーブ表示装置１０−１、スレーブ表示装置１０−２、マスター表示装置１０−３、スレーブ表示装置１０−４）に表示された画像データをシフト（ページ送り、または、ページ戻し）することができる。このため、記入者は、複数ページの画像データに対する説明をスムーズに行なうことができる。
【００６１】
［第２実施形態］
第２実施形態では、第１実施形態からの変更点を説明する。
【００６２】
本発明の第１実施形態に係る表示システムにおいて、マスター表示装置は１台（マスター表示装置１０−３）としているが、これに限定されない。
【００６３】
図１１は、本発明の第２実施形態に係る表示システムの構成を示すブロック図である。図１２は、本発明の第２実施形態に係る表示システムの構成において、表示装置の配置を示す図である。
【００６４】
複数台の表示装置をＮ台の表示装置とした場合（上述の例ではＮ＝４）、マスター表示装置は、Ｎ台よりも少ない複数台指定されてもよい。図１１、１２に示されるように、例えば、マスター表示装置が２台である場合、複数台の表示装置１０のうちの表示装置１０−３、１０−４をマスター表示装置とする。
【００６５】
このように、本発明の第２実施形態に係る表示システムによれば、例えば、複数ページの画像データが２ページ毎の見開きページで構成されているような場合、記入者は、２台マスター表示装置を用いることにより、複数ページの画像データに対する説明をスムーズに行なうことができる。
【００６６】
［第３実施形態］
第３実施形態では、第１、２実施形態からの変更点を説明する。
【００６７】
本発明の第１実施形態に係る表示システムにおいて、画像データ表示制御部３３は、複数ページの画像データが表す文書「ＡＢＣＤ…」が横書きである場合、複数ページの画像データのうちの、複数台の表示装置１０（スレーブ表示装置１０−１、スレーブ表示装置１０−２、マスター表示装置１０−３、スレーブ表示装置１０−４）に対応する表示装置１０の台数分の画像データ（例えば、１〜４ページ目の画像データ１１０−１「ＡＢＣＤ」、１１０−２「ＥＦＧ」、１１０−３「ＨＩＪＫ」、１１０−４「ＬＭＮＯＰ」）を、左側から右側に順番に並べて、複数台の表示装置１０（スレーブ表示装置１０−１、スレーブ表示装置１０−２、マスター表示装置１０−３、スレーブ表示装置１０−４）に表示している。しかしながら、これに限定されない。
【００６８】
図１３は、本発明の第３実施形態に係る表示システムの構成において、表示装置の配置を示す図である。図１４は、本発明の第３実施形態に係る表示システムの動作において、表示装置に表示される画像データを示す図である。
【００６９】
図１４に示されるように、複数ページの画像データのうちの、１ページ目の画像データ２１０−１は、縦書きにより、日本語（ひらがな）表記による文書「あいうえお」を表している。複数ページの画像データのうちの、２ページ目の画像データ２１０−２は、縦書きにより、日本語（ひらがな）表記による文書「かきくけこ」を表している。複数ページの画像データのうちの、３ページ目の画像データ２１０−３は、縦書きにより、日本語（ひらがな）表記による文書「さしすせそ」を表している。複数ページの画像データのうちの、４ページ目の画像データ２１０−４は、縦書きにより、日本語（ひらがな）表記による文書「たちつてと」を表している。
【００７０】
複数ページの画像データが表す文書「あいうえお…」が縦書きである場合、複数ページの画像データのうちの、複数台の表示装置１０（スレーブ表示装置１０−１、スレーブ表示装置１０−２、マスター表示装置１０−３、スレーブ表示装置１０−４）に対応する表示装置１０の台数分の画像データ（例えば、１〜４ページ目の画像データ２１０−１「あいうえお」、２１０−２「かきくけこ」、２１０−３「さしすせそ」、２１０−４「たちつてと」）を、右側から左側に順番に並べて、複数台の表示装置１０（スレーブ表示装置１０−１、スレーブ表示装置１０−２、マスター表示装置１０−３、スレーブ表示装置１０−４）に表示する。この場合、記入者により、並べる方向が指定される。
【００７１】
このように、本発明の第３実施形態に係る表示システムによれば、記入者は、複数ページの画像データの内容によっては、画像データの並べ方を変更することができる。例えば、記入者は、英語の授業においては、第１実施形態のように、表示装置１０の台数分の画像データを左側から右側に順番に並べて複数台の表示装置１０に表示させることができ、日本語の授業においては、第３実施形態のように、表示装置１０の台数分の画像データを右側から左側に順番に並べて複数台の表示装置１０に表示させることができる。
【００７２】
［第４実施形態］
図１５は、本発明の第４実施形態に係る表示システムの構成において、表示装置の配置を示す図である。第４実施形態では、第１〜３実施形態からの変更点を説明する。
【００７３】
本発明の第１〜３実施形態に係る表示システムでは、複数台の表示装置１０（例えば、図２、４〜１０、１４に示されるように、スレーブ表示装置１０−１、スレーブ表示装置１０−２、マスター表示装置１０−３、スレーブ表示装置１０−４）は、左右方向に並べて配置されている。一方、本発明の第４実施形態に係る表示システムでは、複数台の表示装置１０は、図１５に示されるように上から見たときに、表示面（画像データ表示領域１０Ａ）が内周面となるようにリング状に配置されている。
【００７４】
このように、本発明の第４実施形態に係る表示システムによれば、記入者は、複数ページの画像データの内容によっては、複数ページの画像データのうちの、最初のページの画像データと最終ページの画像データとを並べることができる。
【００７５】
［第５実施形態］
図１６は、本発明の第５実施形態に係る表示システムの構成を示すブロック図である。図１７は、本発明の第５実施形態に係る表示システムの構成において、表示装置の配置を示す図である。第５実施形態では、第１〜４実施形態からの変更点を説明する。
【００７６】
本発明の第５実施形態に係る表示システムにおいて、複数台の表示装置１０と制御装置３０とは複数のグループＧ１〜Ｇ３で構成されている。図１６に示されるように、本実施形態では、複数のグループは、例えば、グループＧ１〜Ｇ３であるものとする。また、本実施形態では、例えば、グループＧ１〜Ｇ３のうちのグループＧ１は、マスターグループとし、それ以外のグループＧ２、Ｇ３をスレーブグループとしている。マスターグループＧ１は、例えば、ユーザ（記入者）により指定されている。または、予め指定されている。
【００７７】
この場合、図１６に示されるように、マスターグループＧ１は、複数台の表示装置１０と、入力検知装置２０と、制御装置３０と、入力指示装置４０と、を含んでいる。入力検知装置２０と制御装置３０と入力指示装置４０とは第１実施形態（図１を参照）と同様であるため、説明を省略する。本実施形態では、マスターグループＧ１の複数台の表示装置１０は、例えば、１〜４台目の表示装置１１−１〜１１−４であるものとする。図１７に示されるように、１〜４台目の表示装置１１−１〜１１−４の各々は、第１実施形態と同様の画像データ表示領域１０Ａを備えている。
【００７８】
また、本実施形態では、例えば、マスターグループＧ１の１〜４台目の表示装置１１−１〜１１−４のうちの１台目の表示装置１１−２は、マスター表示装置とし、それ以外の表示装置１１−１、１１−３、１１−４をスレーブ表示装置としている。マスター表示装置１１−１は、例えば、ユーザ（記入者）により指定されている。または、予め指定されている。図１７に示されるように、マスター表示装置１１−２は、更に、第１実施形態と同様のページ操作表示領域１０Ｂを備えている。
【００７９】
また、図１６に示されるように、スレーブグループＧ２は、複数台の表示装置１０と、制御装置３０と、を含んでいる。本実施形態では、スレーブグループＧ２の複数台の表示装置１０は、例えば、１〜２台目の表示装置１２−１〜１２−２であるものとする。図１７に示されるように、１〜２台目の表示装置１２−１〜１２−２の各々は、第１実施形態と同様の画像データ表示領域１０Ａを備えている。
【００８０】
また、本実施形態では、例えば、スレーブグループＧ２の１〜２台目の表示装置１２−１〜１２−２はスレーブ表示装置である。
【００８１】
また、図１６に示されるように、スレーブグループＧ３は、複数台の表示装置１０と、制御装置３０と、を含んでいる。本実施形態では、スレーブグループＧ３の複数台の表示装置１０は、例えば、１〜２台目の表示装置１３−１〜１３−２であるものとする。図１７に示されるように、１〜２台目の表示装置１３−１〜１３−２の各々は、第１実施形態と同様の画像データ表示領域１０Ａを備えている。
【００８２】
また、本実施形態では、例えば、スレーブグループＧ３の１〜２台目の表示装置１３−１〜１３−２はスレーブ表示装置である。
【００８３】
次に、本発明の第５実施形態に係る表示システムの動作（表示処理）について、図３、及び、図１８〜２０を用いて説明する。図１８〜２０は、本発明の第５実施形態に係る表示システムの動作において、各グループの表示装置に表示される画像データを示す図である。
【００８４】
まず、マスターグループＧ１において、記入者は、入力指示装置４０を操作して、制御装置３０の記憶部３１に格納された複数ページの画像データのうちの１〜３ページ目の画像データ１１０−１「ＡＢＣＤ」、１１０−２「ＥＦＧ」、１１０−３「ＨＩＪＫ」（図１８を参照）を表示するための表示指示を行なう。このとき、図１８に示されるように、マスターグループＧ１において、制御装置３０の制御部３２の画像データ表示制御部３３は、複数ページの画像データのうちの、１ページ目の画像データ１１０−１「ＡＢＣＤ」、２ページ目の画像データ１１０−２「ＥＦＧ」、３ページ目の画像データ１１０−３「ＨＩＪＫ」を、それぞれ、マスター表示装置１１−２、スレーブ表示装置１１−３、スレーブ表示装置１１−４に表示する。このとき、マスターグループＧ１において、画像データ表示制御部３３は、１ページ目の画像データ１１０−１「ＡＢＣＤ」と、１ページ目の画像データ１１０−１「ＡＢＣＤ」の送信であることを表す開始ページ送信情報と、をスレーブグループＧ２、Ｇ３の制御装置３０に送信する。スレーブグループＧ２において、制御装置３０の制御部３２の画像データ表示制御部３３は、開始ページ送信情報に応じて、マスターグループＧ１の制御装置３０からの１ページ目の画像データ１１０−１「ＡＢＣＤ」をスレーブ表示装置１２−２に表示する。スレーブグループＧ３において、制御装置３０の制御部３２の画像データ表示制御部３３は、開始ページ送信情報に応じて、マスターグループＧ１の制御装置３０からの１ページ目の画像データ１１０−１「ＡＢＣＤ」をスレーブ表示装置１３−２に表示する（図３のステップＳ１；画像データ表示処理）。
【００８５】
マスターグループＧ１において、記入者が、マスター表示装置１１−２の画像データ表示領域１０Ａに対して、一定時間以上、入力しない場合（図３のステップＳ２−Ｎｏ）、本発明の第５実施形態に係る表示システムの動作（表示処理）は、後述のステップ７に移行する。
【００８６】
一方、マスターグループＧ１において、記入者は、マスター表示装置１１−２の画像データ表示領域１０Ａに対して、一定時間以内に、指先またはペン先により文字等を入力する（図３のステップＳ２−Ｙｅｓ）。このとき、マスターグループＧ１において、入力検知装置２０は、マスター表示装置１１−２の画像データ表示領域１０Ａに対する記入者の入力を検知し、入力情報１１１「○○○」（図１９を参照）を生成する（図３のステップＳ３；記入検知処理）。
【００８７】
図１９に示されるように、マスターグループＧ１において、制御装置３０の制御部３２の入力反映表示制御部３４は、１ページ目の画像データ１１０−１「ＡＢＣＤ」、２ページ目の画像データ１１０−２「ＥＦＧ」、３ページ目の画像データ１１０−３「ＨＩＪＫ」のうちの、マスター表示装置１１−２に表示された画像データ（この場合、１ページ目の画像データ１１０−１「ＡＢＣＤ」）に対して、入力情報１１１「○○○」を反映させる。このとき、マスターグループＧ１において、入力反映表示制御部３４は、入力情報１１１「○○○」が反映された１ページ目の画像データ１１０−１「ＡＢＣＤ」と、上述の開始ページ送信情報と、をスレーブグループＧ２、Ｇ３の制御装置３０に送信する。スレーブグループＧ２において、制御装置３０の制御部３２の画像データ表示制御部３３は、開始ページ送信情報に応じて、マスターグループＧ１の制御装置３０からの入力情報１１１「○○○」が反映された１ページ目の画像データ１１０−１「ＡＢＣＤ」をスレーブ表示装置１２−２に表示する。スレーブグループＧ３において、制御装置３０の制御部３２の画像データ表示制御部３３は、開始ページ送信情報に応じて、マスターグループＧ１の制御装置３０からの入力情報１１１「○○○」が反映された１ページ目の画像データ１１０−１「ＡＢＣＤ」をスレーブ表示装置１３−２に表示する（図３のステップＳ４；入力反映表示処理）。
【００８８】
マスターグループＧ１において、記入者は、マスター表示装置１１−２のページ操作表示領域１０Ｂに対して、例えば、ページ送り用操作部３５を１回だけ操作する（押下する）。このとき、マスターグループＧ１において、入力検知装置２０は、ページ送り用操作部３５の操作として、マスター表示装置１１−２のページ操作表示領域１０Ｂに対する記入者の入力を検知し、シフト指示を制御装置３０の制御部３２に送信する（図３のステップＳ５；操作検知処理）。
【００８９】
図２０に示されるように、マスターグループＧ１において、制御装置３０の制御部３２の画像データ表示制御部３３は、ページ送り用操作部３５からのシフト指示に応じて、複数ページの画像データのうちの、１〜３ページ目の画像データ１１０−１「ＡＢＣＤ」、１１０−２「ＥＦＧ」、１１０−３「ＨＩＪＫ」を１ページ分だけページ送りさせた画像データを、それぞれ、１〜４台目の表示装置１１−１〜１１−４に表示する。すなわち、マスターグループＧ１において、画像データ表示制御部３３は、シフト指示に応じて、複数ページの画像データのうちの、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」を、それぞれ、スレーブ表示装置１１−１、マスター表示装置１１−２、スレーブ表示装置１１−３、スレーブ表示装置１１−４に表示する。このとき、マスターグループＧ１において、画像データ表示制御部３３は、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」をスレーブグループＧ２、Ｇ３の制御装置３０に送信する。スレーブグループＧ２において、制御装置３０の制御部３２の画像データ表示制御部３３は、マスターグループＧ１の制御装置３０からの入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」のうちの、スレーブ表示装置１２−１〜１２−２に対応する表示装置１０の台数分の画像データ（入力情報１１１「○○○」が反映された１ページ目の画像データ１１０−１「ＡＢＣＤ」、２ページ目の画像データ１１０−２「ＥＦＧ」）を、それぞれ、スレーブ表示装置１２−１〜１２−２に表示する。スレーブグループＧ３において、制御装置３０の制御部３２の画像データ表示制御部３３は、マスターグループＧ１の制御装置３０からの入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」のうちの、スレーブ表示装置１３−１〜１３−２に対応する表示装置１０の台数分の画像データ（入力情報１１１「○○○」が反映された１ページ目の画像データ１１０−１「ＡＢＣＤ」、２ページ目の画像データ１１０−２「ＥＦＧ」）を、それぞれ、スレーブ表示装置１３−１〜１３−２に表示する（図３のステップＳ６；ページ操作処理）。
【００９０】
全ページの画像データの表示が終了した場合、あるいは、画像データの表示を終了する場合は（ステップＳ７−Ｙｅｓ）、本発明の第５実施形態に係る表示システムの動作（表示処理）を終了する。また、全ページの表示が終了していない場合、あるいは、画像データの表示を終了しない場合は（ステップＳ７−Ｎｏ）、上述のステップＳ２が行なわれる。
【００９１】
以上の説明により、本発明の第５実施形態に係る表示システムでは、複数台の表示装置１０と制御装置３０とは複数のグループＧ１〜Ｇ３で構成されている。複数のグループＧ１〜Ｇ３のうちの指定されたグループであるマスターグループＧ１の制御装置３０は、複数ページの画像データのうちの、マスターグループＧ１の複数台の表示装置１０（例えば、スレーブ表示装置１１−１、マスター表示装置１１−２、スレーブ表示装置１１−３、スレーブ表示装置１１−４）に対応する表示装置１０の台数分の画像データ（例えば、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」）をそれぞれマスターグループＧ１の複数台の表示装置１０（スレーブ表示装置１１−１、マスター表示装置１１−２、スレーブ表示装置１１−３、スレーブ表示装置１１−４）に表示する。また、マスターグループＧ１の制御装置３０は、表示装置１０の台数分の画像データ（この場合、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」）を複数のグループＧ１〜Ｇ３のうちのマスターグループＧ１以外のスレーブグループＧ２、Ｇ３の制御装置３０に送信する。スレーブグループＧ２、Ｇ３の制御装置３０は、マスターグループＧ１の制御装置３０からの表示装置１０の台数分の画像データ（この場合、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」）のうちの、スレーブグループＧ２、Ｇ３の複数台の表示装置１０（例えば、スレーブ表示装置１２−１〜１２−２、スレーブ表示装置１３−１〜１３−２）に対応する表示装置１０の台数分の画像データ（この場合、入力情報１１１「○○○」が反映された１ページ目の画像データ１１０−１「ＡＢＣＤ」、２ページ目の画像データ１１０−２「ＥＦＧ」）をそれぞれスレーブグループＧ２、Ｇ３の複数台の表示装置１０（この場合、スレーブ表示装置１２−１〜１２−２、スレーブ表示装置１３−１〜１３−２）に表示する。
【００９２】
このように、本発明の第５実施形態に係る表示システムによれば、例えば、教室が３つに分かれていて、記入者（先生）が居る教室（この場合、マスターグループＧ１）に入れない視聴者（生徒）が別の教室（スレーブグループＧ２、Ｇ３）に入るような状況でも、別の教室（スレーブグループＧ２、Ｇ３）において、表示装置１０の台数分の画像データ（この場合、入力情報１１１「○○○」が反映された１ページ目の画像データ１１０−１「ＡＢＣＤ」、２ページ目の画像データ１１０−２「ＥＦＧ」）がそれぞれスレーブグループＧ２、Ｇ３の複数台の表示装置１０（この場合、スレーブ表示装置１２−１〜１２−２、スレーブ表示装置１３−１〜１３−２）に表示されるため、別の教室（スレーブグループＧ２、Ｇ３）に居る視聴者は、入力情報１１１「○○○」が反映された１ページ目の画像データ１１０−１「ＡＢＣＤ」、２ページ目の画像データ１１０−２「ＥＦＧ」、すなわち、数ページの画像データを一度に閲覧することができる。
【００９３】
また、本発明の第５実施形態に係る表示システムによれば、記入者（先生）が居る教室（マスターグループＧ１）において、表示装置１０の台数分の画像データ（この場合、入力情報１１１「○○○」が反映された１ページ目の画像データ１１０−１「ＡＢＣＤ」、２ページ目の画像データ１１０−２「ＥＦＧ」、３ページ目の画像データ１１０−３「ＨＩＪＫ」、４ページ目の画像データ１１０−４「ＬＭＮＯＰ」）がそれぞれマスターグループＧ１の複数台の表示装置１０（スレーブ表示装置１１−１、マスター表示装置１１−２、スレーブ表示装置１１−３、スレーブ表示装置１１−４）に表示され、別の教室（スレーブグループＧ２、Ｇ３）において、表示装置１０の台数分の画像データ（この場合、入力情報１１１「○○○」が反映された１ページ目の画像データ１１０−１「ＡＢＣＤ」、２ページ目の画像データ１１０−２「ＥＦＧ」）がそれぞれスレーブグループＧ２、Ｇ３の複数台の表示装置１０（この場合、スレーブ表示装置１２−１〜１２−２、スレーブ表示装置１３−１〜１３−２）に表示されるため、記入者（先生）が居る教室（マスターグループＧ１）における表示装置の構成と、別の教室（スレーブグループＧ２、Ｇ３）における表示装置の構成と、が異なっていても対応することができる。
【００９４】
［第６実施形態］
図２１は、本発明の第６実施形態に係る表示システムの構成を示すブロック図である。第６実施形態では、第５実施形態からの変更点を説明する。
【００９５】
本発明の第６実施形態に係る表示システムでは、複数のグループＧ１〜Ｇ３は、各々異なる領域に設けられている。本実施形態では、複数のグループＧ１〜Ｇ３のうちの、マスターグループＧ１は領域Ａ１に設けられ、スレーブグループＧ２、Ｇ３はそれぞれ領域Ａ２、Ａ３に設けられている。マスターグループＧ１の制御装置３０は、ネットワークＮＥを介してスレーブグループＧ２、Ｇ３の制御装置３０と接続されている。
【００９６】
このように、本発明の第６実施形態に係る表示システムによれば、例えば、記入者（先生）が居る教室（マスターグループＧ１）と別の教室（スレーブグループＧ２、Ｇ３）との校舎（領域）が異なる場合、マスターグループＧ１の制御装置３０とスレーブグループＧ２、Ｇ３の制御装置３０とをケーブルで接続させることは困難であるため、マスターグループＧ１の制御装置３０とスレーブグループＧ２、Ｇ３の制御装置３０とをネットワークＮＥにより接続させることが好ましい。
【００９７】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９８】
また、上述した実施形態の表示システムは、
並べて配置された複数台の表示装置と、
前記複数台の表示装置のうちの指定された表示装置であるマスター表示装置に対する記入者の入力を検知する入力検知装置と、
前記複数台の表示装置と前記入力検知装置とに接続された制御装置と、
を具備し、
前記制御装置は、
複数ページの画像データのうちの、前記複数台の表示装置に対応する表示装置の台数分の画像データをそれぞれ前記複数台の表示装置に表示する画像データ表示制御部と、
前記台数分の画像データのうちの、前記マスター表示装置に表示された画像データに対して、前記記入者により入力された情報を表す入力情報を反映させる入力反映表示制御部と、
前記複数台の表示装置に表示された前記台数分の画像データに対して、ページ送り、または、ページ戻しを行なうためのページ操作部と、
を備え、
前記ページ操作部が操作されたとき、前記画像データ表示制御部は、前記複数ページの画像データのうちの、前記台数分の画像データを前記ページ操作部の操作に応じてシフトさせた画像データをそれぞれ前記複数台の表示装置に表示することを特徴としてもよい。
【００９９】
また、この場合において、
前記台数分の画像データがページ送りされた場合、前記複数ページの画像データのうちの、前記マスター表示装置に表示された画像データよりも前のページの画像データに対して前記入力情報が反映されていることを特徴としてもよい。
【０１００】
また、この場合において、
前記複数台の表示装置は、画像データを表示するための表示面である画像データ表示領域を備え、
前記複数台の表示装置のうちの前記マスター表示装置は、前記ページ操作部を表示するための表示面であるページ操作表示領域を更に備え、
前記入力検知装置は、
前記入力情報として、前記マスター表示装置の前記画像データ表示領域に対する記入者の入力を検知し、
前記ページ操作部の操作として、前記マスター表示装置の前記ページ操作表示領域に対する前記記入者の入力を検知することを特徴としてもよい。
【０１０１】
また、この場合において、
前記複数台の表示装置をＮ台の表示装置とした場合、前記マスター表示装置は、１台、または、Ｎ台よりも少ない複数台指定されることを特徴としてもよい。
【０１０２】
また、この場合において、
前記複数台の表示装置は、左右方向に並べて配置され、
前記画像データ表示制御部は、
前記複数ページの画像データが表す文書が横書きである場合、前記複数ページの画像データのうちの、前記複数台の表示装置に対応する前記台数分の画像データを、左側から右側に順番に並べて、前記複数台の表示装置に表示し、
前記複数ページの画像データが表す文書が縦書きである場合、前記複数ページの画像データのうちの、前記複数台の表示装置に対応する前記台数分の画像データを、右側から左側に順番に並べて、前記複数台の表示装置に表示することを特徴としてもよい。
【０１０３】
また、この場合において、前記複数台の表示装置は、表示面が内周面となるようにリング状に配置されることを特徴としてもよい。
【０１０４】
また、この場合において、
前記複数台の表示装置と前記制御装置とは複数のグループで構成され、
前記複数のグループのうちの指定されたグループであるマスターグループの前記制御装置は、
前記複数ページの画像データのうちの、前記マスターグループの前記複数台の表示装置に対応する前記台数分の画像データをそれぞれ前記マスターグループの前記複数台の表示装置に表示し、
前記台数分の画像データを前記複数のグループのうちの前記マスターグループ以外のスレーブグループの前記制御装置に送信し、
前記スレーブグループの前記制御装置は、前記マスターグループの前記制御装置からの前記台数分の画像データのうちの、前記スレーブグループの前記複数台の表示装置に対応する表示装置の台数分の画像データをそれぞれ前記スレーブグループの前記複数台の表示装置に表示することを特徴としてもよい。
【０１０５】
また、この場合において、
前記複数のグループは、各々異なる領域に設けられ、
前記マスターグループの前記制御装置は、ネットワークを介して前記スレーブグループの前記制御装置と接続されていることを特徴としてもよい。
【０１０６】
また、上述した実施形態の表示方法は、
並べて配置された複数台の表示装置のうちの指定された表示装置であるマスター表示装置に対する記入者の入力を検知するステップと、
複数ページの画像データのうちの、前記複数台の表示装置に対応する表示装置の台数分の画像データをそれぞれ前記複数台の表示装置に表示するステップと、
前記台数分の画像データのうちの、前記マスター表示装置に表示された画像データに対して、前記記入者により入力された情報を表す入力情報を反映させるステップと、
前記複数台の表示装置に表示された前記台数分の画像データに対して、ページ送り、または、ページ戻しを行なうためのページ操作部が操作されたとき、前記複数ページの画像データのうちの、前記台数分の画像データを前記ページ操作部の操作に応じてシフトさせた画像データをそれぞれ前記複数台の表示装置に表示するステップと、
を具備することを特徴としてもよい。
【０１０７】
また、上述した実施形態の表示システムは、
並べて配置された複数台の表示装置と、
前記複数台の表示装置のうちのマスター表示装置に対する記入者の入力を検知する入力検知装置と、
前記複数台の表示装置と前記入力検知装置とに接続された制御装置とを含む表示システムにおいて、
前記制御装置は、
複数ページの画像データのうちの、連続したページの画像データを前記複数台の表示装置にそれぞれ表示する制御を行う画像データ表示制御部と、
前記連続したページの画像データのうちから前記マスター表示装置に表示された画像データに対するページ操作を受け付けると、前記連続したページの画像データを元の表示装置とは異なる前記ページ操作の方向の表示装置にシフトして表示する制御を行うシフト表示制御部と、
を備え、
前記画像データ表示制御部は、前記マスター表示装置に表示されている画像データに対する描画入力が検知された場合、前記描画入力の情報を前記表示された画像データに反映させて表示させ、前記マスター表示装置に表示された前記情報を反映した画像データに対する前記ページ操作を受け付けると、前記シフト表示制御部は、元の表示装置とは異なる前記ページ操作の方向の表示装置にシフトして表示させることを特徴としてもよい。
【符号の説明】
【０１０８】
１０  …  表示装置
１０−１  …  表示装置（スレーブ表示装置）
１０−２  …  表示装置（スレーブ表示装置）
１０−３  …  表示装置（マスター表示装置）
１０−４  …  表示装置（スレーブ表示装置）
１０Ａ  …  画像データ表示領域
１０Ｂ  …  ページ操作表示領域
１１−１  …  表示装置（マスター表示装置）
１１−２  …  表示装置（スレーブ表示装置）
１１−３  …  表示装置（スレーブ表示装置）
１１−４  …  表示装置（スレーブ表示装置）
１２−１  …  表示装置
１２−２  …  表示装置
１３−１  …  表示装置
１３−２  …  表示装置
２０  …  入力検知装置
３０  …  制御装置
３１  …  制御部
３２  …  記憶部
３３  …  画像データ表示制御部
３４  …  入力反映表示制御部
３５  …  ページ操作部（ページ送り用操作部）
３６  …  ページ操作部（ページ戻し用操作部）
１１０−１  …  画像データ（１ページ目の画像データ）
１１０−２  …  画像データ（２ページ目の画像データ）
１１０−３  …  画像データ（３ページ目の画像データ）
１１０−４  …  画像データ（４ページ目の画像データ）
１１１〜１１３  …  入力情報
２１０−１  …  画像データ（１ページ目の画像データ）
２１０−２  …  画像データ（２ページ目の画像データ）
２１０−３  …  画像データ（３ページ目の画像データ）
２１０−４  …  画像データ（４ページ目の画像データ）
２１１  …  入力情報
Ａ１〜Ａ３  …  領域
Ｇ１  …  グループ（マスターグループ）
Ｇ２  …  グループ（スレーブグループ）
Ｇ３  …  グループ（スレーブグループ）
ＮＥ  …  ネットワーク
【図１】
2020057021.tif 000003
【図２】
2020057021.tif 000004
【図３】
2020057021.tif 000005
【図４】
2020057021.tif 000006
【図５】
2020057021.tif 000007
【図６】
2020057021.tif 000008
【図７】
2020057021.tif 000009
【図８】
2020057021.tif 000010
【図９】
2020057021.tif 000011
【図１０】
2020057021.tif 000012
【図１１】
2020057021.tif 000013
【図１２】
2020057021.tif 000014
【図１３】
2020057021.tif 000015
【図１４】
2020057021.tif 000016
【図１５】
2020057021.tif 000017
【図１６】
2020057021.tif 000018
【図１７】
2020057021.tif 000019
【図１８】
2020057021.tif 000020
【図１９】
2020057021.tif 000021
【図２０】
2020057021.tif 000022
【図２１】
2020057021.tif 000023